(57)【要約】【課題】下肢のむくみを効果的に取り除くことができる足枕を提供すること。【解決手段】足枕は、その枕本体１２が低反発発泡ポリウレタンにより構成され、枕カバー内に収容されている。枕本体１２の上面には、斜面部２１，丘部２２，窪み部２３、山部２４，段丘部２５がそれぞれ形成されている。足枕を使用する場合、足枕を床面やベッド面に設置した状態で、使用者は仰臥して、下肢の膝から下の部分を足枕上に載せる。この場合、使用者は、膝裏部分を丘部２２に、ふくらはぎを窪み部２３に、かかと部を段丘部２５に支持する。【選択図】図５
2007260265.tif 000002
【特許請求の範囲】
【請求項１】
膝裏部を支えるための丘部と、ふくらはぎを支えるための湾曲凹部とを備え、前記丘部の頂部を湾曲凹部の底部よりも高くしたことを特徴とする足枕。
【請求項２】
足首を支えるための山部を形成するとともに、その山部を前記丘部よりも高くしたことを特徴とする請求項１に記載の足枕。
【請求項３】
かかと部を支えるための段丘部を形成したことを特徴とする請求項２に記載の足枕。
【請求項４】
前記湾曲凹部の表面に凹凸を形成したことを特徴とする請求項１〜３のうちのいずれか一項に記載の足枕。
【請求項５】
低反発発泡材により構成したことを特徴とする請求項１〜４のうちのいずれか一項に記載の足枕。
【発明の詳細な説明】
【技術分野】
【０００１】
この発明は、下肢のむくみを取り除くための足枕に関するものである。
【背景技術】
【０００２】
従来、下肢のむくみを取り除くために、仰臥姿勢で、足先を心臓より高い位置に支持するようにすることが一般的に行われている。
このような目的のために、特許文献１及び特許文献２において足枕が提案されている。特許文献１に開示された足枕には、仰臥姿勢の人体下肢部のふくらはぎを支えるための左右一対の窪み部が形成されている。特許文献２に開示された足枕においては、ふくらはぎを受ける部分と、かかとを受ける部分とが同一の傾斜面上において平面状に形成されたものである。
【特許文献１】登録実用新案第３０１５１８６号公報
【特許文献２】登録実用新案第３０１９４０５号公報
【発明の開示】
【発明が解決しようとする課題】
【０００３】
しかしながら、前記特許文献１及び特許文献２のいずれの足枕においても、使用者は、膝から先の部分であるふくらはぎ、またはかかとが支えられて、膝が浮き上がるようになっているために、膝は伸ばされた状態になる。このため、使用者は、膝の緊張状態を強いられることになり、この足枕は本来休息のためにも用いられるものであるが、長時間継続使用すると、逆に疲労する場合がある。加えて、膝が伸ばされた状態においては、膝裏の静脈が圧迫されるため、血行を良好に維持できず、充分なむくみ除去効果を得ることができない。
【０００４】
しかも、特許文献１に開示の足枕においては、下肢をふくらはぎ部分で支えるだけであるため、膝の伸長による疲労に加えて、ふくらはぎのみに下肢の重みが集中してふくらはぎが圧迫される。また、特許文献２に開示の足枕においては、かかとがほぼピンポイントで支えられるものであるため、かかとの痛みをともなう場合もあった。
【０００５】
この発明の目的は、以上の問題点を解消して、疲労回復や足のむくみ除去に有効な足枕を提供することにある。
【課題を解決するための手段】
【０００６】
以上の目的を達成するために、この発明においては、膝裏部を支えるための丘部と、ふくらはぎを支えるための湾曲凹部とを備え、前記丘部の頂部を湾曲凹部の底部よりも高くしたことを特徴とする。
【０００７】
従って、使用者は仰臥して、膝裏部を丘部に、ふくらはぎを窪み部に支持する。このようにすれば、丘部により膝裏部が支持されて、膝が適度に曲がった自然な状態に保持される。従って、使用者は、長時間継続使用したとしても、疲労や痛みを覚えることなく、休息しながら下肢のむくみを取り除くことができる。
【０００８】
前記の構成において、足首を支えるための山部を形成するとともに、その山部を前記丘部よりも高くすれば、かかとに荷重がかかってかかとに痛みを覚えたり、つま先側が倒れたりすることを防止できる。
【０００９】
前記の構成において、かかと部を支えるための段丘部を形成すれば、前記と同様にかかとに荷重がかかってかかとに痛みを覚えたり、つま先側が倒れたりすることを防止できる。
【００１０】
前記の構成において、前記湾曲凹部の表面に凹凸を形成すれば、下肢を動かすことによりマッサージ効果を得ることができる。
さらに、前記の構成において、足枕を低反発発泡材により構成すれば、下肢がバウンドしたりすることなく、快適に使用できる。
【発明の効果】
【００１１】
この発明においては、疲労回復や足のむくみ除去を有効に行うことができるという効果を発揮する。
【発明を実施するための最良の形態】
【００１２】
以下、この発明を具体化した実施形態を図面に基づいて説明する。
（第１実施形態）
始めに、この発明の第１実施形態を図１〜図５に基づいて説明する。
【００１３】
この実施形態の足枕１１は、その枕本体１２はその全体が低反発発泡材としての低反発発泡ポリウレタンにより構成され、枕カバー１３内に収容されている。枕カバー１３は、その側部の開口１４がファスナ１５により開閉される。また、図３に示すように、この実施形態の足枕１１は、板状のアジャスタ１６を備え、そのアジャスタ１６を枕カバー１３内において枕本体１２の下側に設置することにより、足枕１１の高さを調整できる。
【００１４】
以下に、前記枕本体１２の詳細な構成を説明する。
枕本体１２はその底面がフラットに形成されている。枕本体１２の上面には、人体胴部側（図２の左側）から順に、足先側（図２の右側）に向かって上昇する斜面部２１，下肢の膝裏部を支持する丘部２２，下肢のふくらはぎを支持する湾曲凹部としての窪み部２３、下肢の足首部を支持する山部２４，下肢のかかと部を支持する段丘部２５がそれぞれ形成されている。そして、前記山部２４の頂点が丘部２２の頂点よりも高く形成されていて、丘部２２及び山部２４の両頂点を結ぶ直線Ｌは、足枕１１の設置面（床面等）に対して１〜１０度の範囲内の傾斜角度を有する。前記窪み部２３には、凹凸としての左右方向に延びる複数の波状部２６が形成されている。
【００１５】
さて、以上のように構成された足枕１１を使用する場合、図５（この図５においては、カバー１３を除去して描いている）に示すように、足枕１１を床面やベッド面に設置した状態で、使用者は仰臥して、下肢の膝から下の部分を足枕１１上に載せる。この場合、使用者は、膝裏部を丘部２２に、ふくらはぎを窪み部２３に、かかと部を段丘部２５に支持する。このようにすれば、丘部２２により膝裏部が支持されて、膝が適度に曲がった自然な状態に保持される。従って、使用者は、長時間継続使用したとしても、疲労や痛みを覚えることなく、休息しながら下肢のむくみを取り除くことができる。
【００１６】
なお、枕本体１２の高さが足りない場合は、図３に示すように、枕本体１２の下側にアジャスタ１６を入り込ませればよい。
この第１実施形態の効果を列挙すれば以下の通りである。
【００１７】
（１）  足枕１１に下肢を載せた状態においては、下肢の膝裏部が丘部２２上に、ふくらはぎが窪み部２３上に、足首の裏側（アキレス腱側）が山部２４上に、かかと部が段丘部２５上にそれぞれ支持される。従って、膝は、伸ばされて緊張されることなく、やや曲がった自然な状態に保持される。このため、この足枕１１を長時間使用しても、疲労を覚えることがないばかりでなく、膝裏部の静脈が圧迫されることがないため、下肢のむくみを効果的に取り除くことができる。
【００１８】
（２）  膝裏から、ふくらはぎ及び足首を含み、かかと部までの広い範囲で下肢が支持されるため、使用者は局部的な圧迫感や痛みを感じることなく、快適に使用することができる。
【００１９】
（３）  丘部２２及び山部２４の両頂点を結ぶ直線Ｌが緩く傾斜しているため、下肢を無理なく上げることができ、疲労回復とむくみ除去とを有効に行うことができる。
（４）  足首の裏側を支持する山部２４が設けられているため、かかとに荷重がかかってかかとに痛みを覚えたり、つま先側が倒れたりすることがないため、快適に使用できる。
【００２０】
（５）  かかと部を支持する段丘部２５が形成されているため、前記と同様に、かかとに荷重がかかってかかとに痛みを覚えたり、つま先側が倒れたりすることがないため、快適に使用できる。
【００２１】
（６）  窪み部２３の表面に波状部２６が形成されているため、下肢を動かすことによりマッサージ効果を得ることができ、疲労回復の一助となる。
ここで、この実施形態の枕本体１２は、その反発弾性率が２〜２５％，好ましくは７〜１３％（測定方法は、ＪＩＳ  Ｋ６４００−３：２００４に準拠）の範囲内である。また、不使用状態において、膝裏部を支える丘部２２の頂部の高さは、３０〜１００ｍｍの範囲内であり、６０〜８０ｍｍ程度が好ましい。ふくらはぎを支える窪み部２３の底部の高さ（波状部２６の波頭の位置）は、２０〜９０ｍｍの範囲内であり、５０〜７０ｍｍ程度が好ましい。足首部を支える山部２４の頂部の高さは、５０〜１２０ｍｍの範囲内であり、８０〜１００ｍｍの範囲内が好ましい。そして、丘部２２の頂部と窪み部２３の底部との間の差は２０〜３０ｍｍ，窪み部２３の底部と山部２４の頂部との間の差は２５〜３５ｍｍ程度が好ましい。
【００２２】
次に、この発明の第２，第３実施形態及び変形例を第１実施形態と異なる部分を中心に説明する。
（第２実施形態）
図６に示す第２実施形態においては、足枕１１は左右一対で、左右対称形状をなしている。各足枕本体１２Ａはそれぞれ個別にカバー１３Ａ内に納めされる。従って、この第２実施形態においては、足枕１１の設置の自在性が向上、開脚状態で使用することができる。また、足枕本体１２Ａはその外形が小さくなるため、保管等に便利となる。
【００２３】
（第３実施形態）
図７に示す第３実施形態においては、足枕１１が下肢延長方向に３分割された足枕本体１２Ａ，１２Ｂ，１２Ｃにより構成されたものである。それらの足枕本体１２Ａ，１２Ｂ，１２Ｃは、それぞれ個別にカバー１３Ａ，１３Ｂ，１３Ｃ内に収納される。足枕本体１２Ａは斜面部２１及び丘部２２を有し、足枕本体１２Ｂは窪み部２３を有し、足枕本体１２Ｃは山部２４及び段丘部２５を有する。従って、この第３実施形態においては、使用者の下肢の長短に対応できるばかりでなく、前記第２実施形態と同様に、足枕本体１２Ａ，１２Ｂ，１２Ｃは外形が小さくなるため、保管等に便利なものとなる。
【００２４】
（変形例）
この発明は、前記各実施形態に限定されるものではなく、以下のように変更して具体化することも可能である。
【００２５】
・  足枕１１を下肢の延長方向において、２分割または４分割して構成すること。
・  図８に示すように、高反発発泡ポリウレタンの芯材４１の周囲に低反発発泡ポリウレタンの外被材４２を被覆して枕本体１２を構成すること。あるいは、図９に示すように、高反発発泡ポリウレタンよりなる下側部材４３の上面に低反発ポリウレタンよりなる上側部材４４を貼着して構成すること。このようにすれば、枕本体１２に対し柔軟性に加えて適度の弾力性を付与することができる。
【００２６】
・  図１０に示すように、窪み部２３の波状部２６を省略して、その窪み部２３の表面をフラット状に形成すること。
・  図１１及び図１２に示すように、窪み部２３の表面の凹凸形状を変更すること。図１１及び図１２は、それぞれ凹凸を平面楕円形あるいは円形の突起３０を形成することによって形成したものである。
【図面の簡単な説明】
【００２７】
【図１】実施形態の足枕本体を示す斜視図。
【図２】同じく側面図。
【図３】アジャスタを使用した場合を示す側面図。
【図４】丘部と山部との関係を示す側面図。
【図５】使用状態を示す側面図。
【図６】第２実施形態を示す平面図。
【図７】第３実施形態を示す側面図。
【図８】変形例を示す側面図。
【図９】変形例を示す側面図。
【図１０】変形例を示す平面図。
【図１１】変形例を示す平面図。
【図１２】変形例を示す平面図。
【符号の説明】
【００２８】
１１…足枕、１２…枕本体、２１…斜面部、２２…丘部、２３…湾曲凹部としての窪み部、２４…山部、２５…段丘部、２６…波状部。
【図１】
2007260265.tif 000003
【図２】
2007260265.tif 000004
【図３】
2007260265.tif 000005
【図４】
2007260265.tif 000006
【図５】
2007260265.tif 000007
【図６】
2007260265.tif 000008
【図７】
2007260265.tif 000009
【図８】
2007260265.tif 000010
【図９】
2007260265.tif 000011
【図１０】
2007260265.tif 000012
【図１１】
2007260265.tif 000013
【図１２】
2007260265.tif 000014